(57)【要約】【課題】ライフログを記録可能な電子機器において、使用状況に適した設定に自動的に変更することで、利便性をより高めること。【解決手段】リスト端末１は、ライフログ取得部５１と、状況判定部５２と、機器設定部５５とを備える。ライフログ取得部５１は、位置情報を含んだライフログ情報を取得する。状況判定部５２は、現在の状況が前記ライフログ情報に基づく行動パターンと適合するか否かを判定する。機器設定部５５は、状況判定部５２により適合すると判定された場合は、前記行動パターンに応じて機器を設定する。【選択図】図２
2015079375.tif 000002
【特許請求の範囲】
【請求項１】
位置情報を含んだライフログ情報を取得するライフログ取得手段と、
現在の状況が前記ライフログ情報に基づく行動パターンと適合するか否かを判定する状況判定手段と、
前記状況判定手段により適合すると判定された場合は、前記行動パターンに応じて機器を設定する機器設定手段と、
を備えることを特徴とする電子機器。
【請求項２】
前記状況判定手段は、現在位置と前記ライフログ情報に含まれる位置情報とを比較することによって前記行動パターンと適合するか否かを判定することを特徴とする請求項１に記載の電子機器。
【請求項３】
前記ライフログ情報は時刻情報を更に含み、
前記状況判定手段は、現在の時刻と前記ライフログ情報に含まれる時刻情報とを比較することによって前記行動パターンと適合するか否かを判定することを特徴とする請求項１又は２に記載の電子機器。
【請求項４】
前記状況判定手段によって、現在の状況が前記ライフログ情報における行動パターンと適合しないと判定された場合に、予め設定された所定期間、現在のユーザの行動から前記ライフログに関する情報を検出するライフログ情報検出手段を備え、
前記機器設定手段は、前記ライフログ情報検出手段によって検出された前記ライフログに関する情報に基づいて、機器を設定することを特徴とする請求項１乃至３のいずれか１項に記載の電子機器。
【請求項５】
前記状況判定手段は、現在の状況が前記ライフログにおける行動パターンと適合しないと判定した場合に、現在の状況と類似する前記ライフログにおける行動パターンが存在するか否かを判定し、
前記機器設定手段は、前記状況判定手段によって、現在の状況と類似する前記ライフログにおける行動パターンが存在すると判定された場合に、当該類似する前記ライフログにおける行動パターンに合わせて機器を設定することを特徴とする請求項１乃至４のいずれか１項に記載の電子機器。
【請求項６】
電子機器を制御するコンピュータに、
位置情報を含んだライフログ情報を取得するライフログ取得機能と、
現在の状況が前記ライフログ情報に基づく行動パターンと適合するか否かを判定する状況判定機能と、
前記状況判定機能により適合すると判定された場合は、前記行動パターンに応じて機器を設定する機器設定機能と、
を実現させることを特徴とするプログラム。
【発明の詳細な説明】
【技術分野】
【０００１】
本発明は、ユーザの活動に関する情報を記録可能な電子機器及びプログラムに関する。
【背景技術】
【０００２】
従来、日常におけるユーザの活動に関する情報（ライフログ）を記録可能な電子機器が知られている。
例えば、近年開発されたスマートウォッチと呼ばれる端末装置では、ユーザがジョギングした距離や時間を検出し、装置内あるいはネットワークを介して接続されるサーバ等に記憶しておくことができる。
なお、特許文献１には、ユーザの活動を記録し、ユーザが端末装置を使用する可能性が低い時間にソフトウェアをダウンロードする端末装置に関する技術が記載されている。
【先行技術文献】
【特許文献】
【０００３】
【特許文献１】特開２００４−２９７１２６号公報
【発明の概要】
【発明が解決しようとする課題】
【０００４】
しかしながら、スマートウォッチ等の端末装置は、バッテリーによって駆動されるため、消費電力を抑えることが望まれる一方、ライフログを取得する処理は、各種センサを起動するために、消費電力が増大する傾向がある。また、消費電力を抑えるために、各種センサ等の電源をオフあるいはスリープ状態としておいた場合、ユーザが端末装置を使用する場合に、起動までの待ち時間が発生することになる。
このように、ライフログを記録可能な従来の電子機器においては、消費電力を抑制しつつ、ユーザにとっての利便性を十分に高いものとできなかった。
【０００５】
本発明は、このような状況に鑑みてなされたものであり、ライフログを記録可能な電子機器において、使用状況に適した設定に自動的に変更することで、利便性をより高めることを目的とする。
【課題を解決するための手段】
【０００６】
上記目的を達成するため、本発明の一態様の電子機器は、
位置情報を含んだライフログ情報を取得するライフログ取得手段と、
現在の状況が前記ライフログ情報に基づく行動パターンと適合するか否かを判定する状況判定手段と、
前記状況判定手段により適合すると判定された場合は、前記行動パターンに応じて機器を設定する機器設定手段と、
を備えることを特徴とする。
【発明の効果】
【０００７】
本発明によれば、ライフログを記録可能な電子機器において、使用状況に適した設定に自動的に変更することで、利便性をより高めることが可能となる。
【図面の簡単な説明】
【０００８】
【図１】本発明の電子機器の一実施形態としてのリスト端末の構成を示す図であり、図１（ａ）は外観構成図、図１（ｂ）は、ハードウェア構成を示すブロック図である。
【図２】リスト端末の機能的構成のうち、活動支援処理を実行するための機能的構成を示す機能ブロック図である。
【図３】リスト端末が実行する活動支援処理の流れを説明するフローチャートである。
【発明を実施するための形態】
【０００９】
以下、本発明の実施形態について、図面を用いて説明する。
【００１０】
［ハードウェア構成］
図１は、本発明の電子機器の一実施形態としてのリスト端末１の構成を示す図であり、図１（ａ）は外観構成図、図１（ｂ）は、ハードウェア構成を示すブロック図である。
図１に示すように、リスト端末１は、制御部１１と、センサユニット１２と、入力部１３と、ＬＣＤ（Ｌｉｑｕｉｄ  Ｃｒｙｓｔａｌ  Ｄｉｓｐｌａｙ）１４と、時計回路１５と、ＲＯＭ（Ｒｅａｄ  Ｏｎｌｙ  Ｍｅｍｏｒｙ）１６と、ＲＡＭ（Ｒｅａｄ  Ａｃｃｅｓｓ  Ｍｅｍｏｒｙ）１７と、ＧＰＳ（Ｇｌｏｂａｌ  Ｐｏｓｉｔｉｏｎｉｎｇ  Ｓｙｓｔｅｍ）アンテナ１８と、ＧＰＳモジュール１９と、無線通信用アンテナ２０と、無線通信モジュール２１と、ドライブ２２とを備えている。
【００１１】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、活動支援処理（後述）のためのプログラム等、ＲＯＭ１６に記録されているプログラムに従って各種の処理を実行する。
【００１２】
センサユニット１２は、３軸加速度センサ１２ａと、磁気センサ１２ｂと、気圧センサ１２ｃと、気温センサ１２ｄとを備えている。
３軸加速度センサ１２ａは、リスト端末１における加速度を検出し、検出した加速度を示す情報を制御部１１に出力する。
磁気センサ１２ｂは、リスト端末１における磁気を検出し、検出した磁気を示す情報（例えば方位等）を制御部１１に出力する。本実施形態において、磁気センサ１２ｂは、互いに直行するｘ軸、ｙ軸、ｚ軸の３軸について磁気を検出するものとする。ただし、磁気センサ１２ｂとして、ｘ軸、ｙ軸、ｚ軸のうちの２軸について磁気を検出するものを採用することもできる。
【００１３】
気圧センサ１２ｃは、リスト端末１における気圧を検出し、検出した気圧を示す情報を制御部１１に出力する。
気温センサ１２ｄは、リスト端末１における気温を検出し、検出した気温を示す情報を制御部１１に出力する。
なお、センサユニット１２には、３軸加速度センサ１２ａ、磁気センサ１２ｂ、気圧センサ１２ｃ及び気温センサ１２ｄの他、ジャイロセンサや血圧センサ等の他のセンサを備えることとしてもよい。
【００１４】
入力部１３は、制御部１１に対して各種情報の入力を行う機能を備えた複数個のボタン（ここでいうボタンには、ハードウェアのみならずソフトウェアによって実現されるものも含む）等により構成されている。
ＬＣＤ１４は、制御部１１からの指示に従って、時刻や方位、ライフログに関する情報（例えば過去のジョギング記録）等、種々の情報を表示する。
時計回路１５は、システムクロックあるいは発振器により生成される信号から時刻信号を生成し、現在時刻を出力する。
【００１５】
ＲＯＭ１６は、制御部１１で実行される制御プログラム等の情報を格納する。
ＲＡＭ１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻を示す情報を制御部１１に出力する。
【００１６】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。
ドライブ２２には、磁気ディスク、光ディスク、光磁気ディスク、あるいは半導体メモリ等よりなる、リムーバブルメディア３１が適宜装着される。リムーバブルメディア３１には、ユーザのライフログに関する情報等の各種情報を記憶することができる。
【００１７】
［機能的構成］
次に、リスト端末１の機能的構成について説明する。
図２は、リスト端末１の機能的構成のうち、活動支援処理を実行するための機能的構成を示す機能ブロック図である。
活動支援処理とは、リスト端末１のユーザに関して記録されているライフログを参照し、リスト端末１を予めライフログに合わせた設定に変更すると共に、十分なライフログが蓄積されていない場合等、ライフログからリスト端末１の設定を決定できない場合に、現在のユーザの行動を判定してリスト端末１の設定をユーザの行動に合わせて変更する一連の処理である。
【００１８】
なお、ライフログは、リスト端末１のＲＡＭ１７等に記憶しておくことや、ネットワークを介して接続可能なサーバに格納しておくことが可能である。本実施形態においては、ネットワークを介して接続可能なサーバＳにライフログが格納されているものとする。
また、以下の説明において、リスト端末１のユーザは、毎週土曜日の１９時５０分頃から準備運動を行い、２０時頃から２１時頃まで、自宅周辺をジョギングする習慣があるものとする。
【００１９】
活動支援処理が実行される場合、制御部１１においては、ライフログ取得部５１と、状況判定部５２と、ライフログ情報検出部５３と、ライフログ蓄積部５４と、機器設定部５５とが機能する。
【００２０】
ライフログ取得部５１は、予め設定された取得条件が充足された場合に、ライフログに関する情報を取得する。具体的には、ライフログ取得部５１は、予め設定された取得条件が充足されたタイミングでサーバＳにアクセスし、リスト端末１のユーザについてのライフログに関する情報を取得する。ここで、取得条件とは、例えば、予め設定された時間（ライフログから取得済みの行動パターンが開始される所定時間前（例えば３分前）等）となった場合、リスト端末１がユーザに装着された場合、あるいは、リスト端末１の電源が投入された場合を設定することができる。
【００２１】
状況判定部５２は、ライフログ取得部５１によって取得されたライフログに関する情報と、センサユニット１２から出力される情報とに基づいて、現在の状況が、ライフログから把握される行動パターンが実行される可能性が高い状況であるか否かを判定する。例えば、状況判定部５２は、ライフログから把握される行動パターンが実行される場所付近にいるか否かを判定する。
【００２２】
ここで、ライフログから把握される行動パターンについては、例えば、曜日、時間及び行動内容を要素とし、これらが一致する行動である場合に、同一の行動パターンとすることが可能である。具体的には、毎週土曜日の１９時５０分から２１時（同一の曜日及び時間帯）に、自宅周辺における準備運動とジョギング（同一の行動内容）が行われる場合に、これら毎週の行動を同一の行動パターンとすることができる。
そして、状況判定部５２は、現在の状況が、ライフログから把握される行動パターンが実行される可能性が高い状況であると判定した場合、ライフログから把握される行動パターンに関係するリスト端末１の機能の種類を特定し、行動パターン及び特定した機能の種類を示す情報（後述する機器設定基準情報）を機器設定部５５に出力する。例えば、ライフログから把握される行動パターンがジョギングであれば、ＧＰＳによる測位及び画面表示の機能が、ライフログから把握される行動パターン「ジョギング」に関係するリスト端末１の機能の種類として特定される。
【００２３】
一方、状況判定部５２は、現在の状況が、ライフログから把握される行動パターンが実行される可能性が高い状況でないと判定した場合、ライフログ情報検出部５３に、全てのセンサ（あるいは、短期間により多くのライフログに関する情報を取得するために予め設定された所定のセンサ）を起動して所定の短期間（例えば３〜５分程度）、ライフログに関する情報を取得させる処理（短期ライフログ取得処理）を実行させる。短期ライフログ取得処理では、全ての（あるいは予め設定された所定の）センサが起動されるため、短期間に密度の高いライフログに関する情報を取得できる。そして、状況判定部５２は、所定の短期間が経過した後、このライフログに関する情報を含めて、サーバＳに蓄積されたライフログに関する情報から行動パターンを取得し、ユーザの現在の状況の判定を繰り返す。
【００２４】
ライフログ情報検出部５３は、センサユニット１２に備えられた各種センサから出力される情報に基づいて、ユーザのライフログに関する情報を検出する。例えば、ライフログ情報検出部５３は、ライフログに関する情報として、ユーザの移動履歴を検出する。具体的には、ライフログ情報検出部５３は、ユーザが移動した時間、移動速度及び移動経路を検出する。ユーザの移動履歴は、主としてＧＰＳモジュール１９から出力される位置及び現在時刻を基に検出することができる。また、ライフログ情報検出部５３は、移動速度を基に、移動手段が徒歩であるか、電車等の交通機関であるか、あるいは、ジョギング等の運動によるものであるかを判定する。さらに、ライフログ情報検出部５３は、３軸加速度センサ１２ａから出力される加速度の情報を用いて、ユーザが運動していることを検出する。例えば、ライフログ情報検出部５３は、３軸加速度センサ１２ａから出力される加速度の情報を基に、ユーザが歩行しているかジョギングしているか、あるいは、移動を伴わない運動（準備運動あるいはテニス等）を行っているか等を検出する。
【００２５】
また、ライフログ情報検出部５３は、状況判定部５２によって短期ライフログ取得処理の実行が指示されると、センサユニット１２に備えられた全ての（あるいは予め設定された所定の）センサを起動し、所定の短期間、ユーザの行動からライフログに関する情報を検出する。例えば、ライフログ情報検出部５３は、３軸加速度センサ１２ａから出力される情報を基に、ユーザが運動を行っているか否か（どのような運動を行っているか）をする。また、ライフログ情報検出部５３は、気圧センサ１２ｃ及び気温センサ１２ｄから出力される情報を基に、ユーザが屋外にいるか、屋内にいるかを検出する。
そして、ライフログ情報検出部５３は、検出したライフログに関する情報をライフログ蓄積部５４及び機器設定部５５に出力する。
【００２６】
ライフログ蓄積部５４は、ライフログ情報検出部５３によって検出されたライフログに関する情報をユーザと対応付けて時系列に蓄積する。即ち、ライフログ蓄積部５４がライフログを蓄積することによって、いつ、どこで、何を行ったかという、ユーザの生活における行動のパターンが把握可能となる。
なお、上述のように、本実施形態においては、ライフログ蓄積部５４は、無線通信モジュール２１を介して、サーバＳにライフログに関する情報を送信し、サーバＳにユーザのライフログを蓄積する。
【００２７】
機器設定部５５は、状況判定部５２によって特定された行動パターン及びリスト端末１の機能の種類を示す情報、あるいは、短期ライフログ取得処理において検出されたライフログに関する情報（以下、これらをまとめて「機器設定基準情報」と呼ぶ。）が入力されると、この機器設定基準情報に合わせて、リスト端末１の設定を変更する。
【００２８】
例えば、機器設定基準情報として、行動パターンに関係するリスト端末１の機能の種類としてＧＰＳによる測位及び画面表示が示されている場合、機器設定部５５は、ＧＰＳモジュール１９を起動し、歩行時よりも移動速度が速い行動パターン「ジョギング」に合わせて、速やかに測位できる状態とする。また、機器設定部５５は、通常時（例えば静止時）よりもブレが大きい状態で表示画面が視認される行動パターン「ジョギング」に合わせて、表示画面をシンプルで文字サイズが大きいモードに設定する。また、機器設定基準情報として、短期ライフログ取得処理によって検出された「自転車による移動」が示されている場合、機器設定部５５は、ＧＰＳモジュール１９を起動し、加えて、ＧＰＳモジュール１９による測位の時間間隔を「ジョギング」の場合よりも短く設定する。また、機器設定部５５は、「自転車による移動」の場合、ジョギングよりもブレが大きくない状態で表示画面が視認されることから、通常時と同じ表示画面のモードに設定する。なお、このとき、自転車による移動のための表示画面のモードが用意されている場合、このモードに設定することとしてもよい。
【００２９】
これにより、ライフログに照らして、ユーザがこれから実行すると考えられる活動や、現在の状況から実行していると考えられる活動に合わせて、リスト端末１の設定を変更することができる。
そのため、ユーザは自らの活動に合わせてリスト端末１の設定を手動で変更する必要がないと共に、活動開始後にリスト端末１の必要な機能を速やかに使用することができる。また、ユーザの活動において必要な機能のみを起動することが可能となるため、リスト端末１の消費電力が増大することを抑制できる。
【００３０】
図３は、リスト端末１が実行する活動支援処理の流れを説明するフローチャートである。
活動支援処理は、ユーザによって活動支援処理の実行が指示された場合に開始され、処理の終了が指示されるまで繰り返し実行される。
ステップＳ１において、ライフログ取得部５１は、ネットワークを介してサーバＳにアクセスし、リスト端末１のユーザについてのライフログに関する情報を取得する。
ステップＳ２において、状況判定部５２は、現在の状況が、ライフログから把握される行動パターンが実行される可能性が高い状況であるか否かの判定を行う。
【００３１】
現在の状況が、ライフログから把握される行動パターンが実行される可能性が高い状況でない場合、ステップＳ２においてＮＯと判定されて、処理はステップＳ３に移行する。
これに対し、現在の状況が、ライフログから把握される行動パターンが実行される可能性が高い状況である場合、ステップＳ２においてＹＥＳと判定されて、処理はステップＳ５に移行する。
【００３２】
ステップＳ３において、ライフログ情報検出部５３は、短期ライフログ取得処理を実行し、現在のユーザの行動からライフログに関する情報を検出する。
ステップＳ４において、ライフログ蓄積部５４は、ライフログ情報検出部５３によって検出されたライフログに関する情報をサーバＳに送信し、ライフログに関する情報をユーザと対応付けて時系列に蓄積する。
ステップＳ５において、機器設定部５５は、状況判定部５２あるいはライフログ情報検出部５３によって入力される機器設定基準情報に合わせて、リスト端末１の設定を変更する。
ステップＳ５の後、活動支援処理が繰り返される。
【００３３】
このような処理によって、リスト端末１では、現在の状況が、ライフログから把握される行動パターンが実行される可能性が高い状況である場合、予め、行動パターンに適合するリスト端末１の設定とすることができる。また、ライフログから把握される行動パターンが実行される可能性が高い状況でない場合には、短期ライフログ取得処理を実行し、短期間に密度の高いライフログに関する情報を取得して、現在の行動に合わせたリスト端末１の設定とすることができる。
また、短期ライフログ取得処理で取得されたライフログに関する情報は、サーバＳに蓄積され、従前のライフログに関する情報と合わせて、再び活動支援処理において参照される。
【００３４】
そのため、短期ライフログ取得処理で取得されたライフログを従前のライフログに関する情報と併合することで、新たな行動パターンが形成された場合には、以後、その行動パターンが実行される可能性が高い状況となった場合に、リスト端末１を予めその行動パターンに合わせた設定とできる。
即ち、本実施形態に係るリスト端末１によれば、ライフログを記録可能な電子機器において、使用状況に適した設定に自動的に変更することができ、利便性をより高めることが可能となる。
【００３５】
（応用例１）
上記実施形態において、リスト端末１においては、状況判定部５２によって、現在の状況が、ライフログから把握される行動パターンが実行される可能性が高い状況でないと判定された場合に、短期ライフログ取得処理を実行することにより、現在のライフログを取得して、リスト端末１の設定を変更するものとした。
これに対し、リスト端末１において、現在の状況が、ライフログから把握される行動パターンが実行される可能性が高い状況でないと判定された場合に、状況判定部５２によって、ライフログにおいて現在の状況と類似する行動パターンが存在するか否かを判定し、その類似する行動パターンを参照して、リスト端末１の設定を変更することとしてもよい。
【００３６】
即ち、曜日、時間及び行動内容等の要素が一致する行動を同一の行動パターンとする一方、行動パターンの要素の一部が異なる場合であっても、行動パターンの要素が一定の割合で一致する行動パターンを類似する行動パターンとして判定することができる。
例えば、リスト端末１のユーザが、日曜日の１９時５０分に準備運動を行っていることが判明した場合、ライフログから把握される行動パターンと曜日が同一ではない（土曜日ではない）ため、状況判定部５２は、現在の状況が、ライフログから把握される行動パターンが実行される可能性が高い状況ではないと判定する。
この場合に、ライフログにおける他の行動パターンを参照し、１９時５０分に準備運動を行う行動に類似する行動パターンとして、毎週土曜日の１９時５０分から自宅周辺においてジョギングを行う行動パターンを把握することができる。
【００３７】
そして、状況判定部５２は、現在の状況が、ライフログから把握される行動パターンに類似する行動パターンが実行される可能性が高いと判定する。さらに、状況判定部５２は、この類似する行動パターンに関係するリスト端末１の機能の種類を特定し、類似する行動パターン及び特定した機能の種類を示す情報（機器設定基準情報）を機器設定部５５に出力する。
このような処理とすることにより、ユーザの生活において、習慣として行われていることが、曜日が異なる等、必ずしも同じ状況で行われない場合であっても、より柔軟にユーザの行動パターンを参照してリスト端末１の設定を行うことができる。
したがって、リスト端末１の利便性をさらに高めることが可能となる。
【００３８】
以上のように構成されるリスト端末１は、ライフログ取得部５１と、状況判定部５２と、機器設定部５５とを備える。
ライフログ取得部５１は、位置情報を含んだライフログ情報を取得する。
状況判定部５２は、現在の状況が前記ライフログ情報に基づく行動パターンと適合するか否かを判定する。
機器設定部５５は、状況判定部５２により適合すると判定された場合は、前記行動パターンに応じて機器を設定する。
これにより、ライフログに照らして、ユーザがこれから実行すると考えられる活動や、現在の状況から実行していると考えられる活動に合わせて、リスト端末１の設定を変更することができる。
そのため、ユーザは自らの活動に合わせてリスト端末１の設定を手動で変更する必要がないと共に、活動開始後にリスト端末１の必要な機能を速やかに使用することができる。また、ユーザの活動において必要な機能のみを起動することが可能となるため、リスト端末１の消費電力が増大することを抑制できる。
したがって、本発明によれば、ライフログを記録可能なリスト端末１において、使用状況に適した設定に自動的に変更することができ、利便性をより高めることが可能となる。
【００３９】
また、状況判定部５２は、現在位置とライフログ情報に含まれる位置情報とを比較することによって行動パターンと適合するか否かを判定する。
これにより、行動場所の影響が大きい行動パターンを適確に選別して、現在の状況がライフログの行動パターンと適合するか否かを判定することができる。
【００４０】
また、ライフログ情報は、時刻情報を含み、状況判定部５２は、現在の時刻とライフログ情報に含まれる時刻情報とを比較することによって行動パターンと適合するか否かを判定する。
これにより、行動時間の影響が大きい行動パターンを適確に選別して、現在の状況がライフログの行動パターンと適合するか否かを判定することができる。
【００４１】
また、リスト端末１は、ライフログ情報検出部５３を備える。
ライフログ情報検出部５３は、現在の状況がライフログにおける行動パターンと適合しないと判定された場合に、予め設定された所定期間、現在のユーザの行動からライフログに関する情報を検出する。
機器設定部５５は、ライフログ情報検出部５３によって検出されたライフログに関する情報に基づいて、機器を設定する。
これにより、ライフログにおける行動パターンと適合しない状況においても、現在の状況から実行していると考えられる活動に合わせて、リスト端末１の設定を変更することができる。
【００４２】
また、状況判定部５２は、現在の状況が前記ライフログにおける行動パターンと適合しないと判定した場合に、現在の状況と類似するライフログにおける行動パターンが存在するか否かを判定する。
機器設定部５５は、状況判定部５２によって、現在の状況と類似するライフログにおける行動パターンが存在すると判定された場合に、当該類似するライフログにおける行動パターンに合わせて機器を設定する。
これにより、ユーザの生活において、習慣として行われていることが、曜日が異なる等、必ずしも同じ状況で行われない場合であっても、より柔軟にユーザの行動パターンを参照してリスト端末１の設定を行うことができる。
したがって、リスト端末１の利便性をさらに高めることが可能となる。
【００４３】
なお、本発明は、上述の実施形態に限定されるものではなく、本発明の目的を達成できる範囲での変形、改良等は本発明に含まれるものである。
【００４４】
上述の実施形態では、状況判定部５２が、ライフログにおいて同一の行動パターンを自動的に把握するものとしたが、これに限られない。即ち、ユーザがライフログにおいて、自ら行動パターンを登録することができる。例えば、ユーザが、「毎週土曜日の１９時５０分から２１時に、自宅周辺における準備運動とジョギングを行う」という行動パターンをライフログに登録しておくことができる。この場合、状況判定部５２は、この登録された行動パターンを参照して、現在の状況が、ライフログから把握される行動パターンが実行される可能性が高い状況であるか否かを判定することができる。
【００４５】
また、上述の実施形態では、状況判定部５２が、ライフログから把握される行動パターンに関係するリスト端末１の機能の種類を自動的に特定するものとしたが、これに限られない。即ち、行動パターンが実行される際に、その行動パターンの行動内容に合わせたリスト端末１の機能の設定を行い、その設定を記憶しておくこととしてもよい。このとき、現在の状況が、ライフログから把握される行動パターンが実行される可能性が高い状況であると判定された場合には、機器設定部５５は、その行動パターンの行動内容について記憶されているリスト端末１の設定に合わせて、リスト端末１の設定を変更する。
【００４６】
また、上述の実施形態では、本発明が適用される電子機器は、リスト端末１を例として説明したが、特にこれに限定されない。
例えば、本発明は、ライフログの記録機能を有する電子機器一般に適用することができる。具体的には、例えば、本発明は、ノート型のパーソナルコンピュータ、携帯電話機、スマートフォン、ポータブルゲーム機等に適用可能である。
【００４７】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能がリスト端末１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００４８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００４９】
このようなプログラムを含む記録媒体は、ユーザにプログラムを提供するために装置本体とは別に配布されるリムーバブルメディア等により構成されるだけでなく、装置本体に予め組み込まれた状態でユーザに提供される記録媒体等で構成される。リムーバブルメディアは、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１６等で構成される。
【００５０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００５１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００５２】
以下に、本願の出願当初の特許請求の範囲に記載された発明を付記する。
［付記１］
位置情報を含んだライフログ情報を取得するライフログ取得手段と、
現在の状況が前記ライフログ情報に基づく行動パターンと適合するか否かを判定する状況判定手段と、
前記状況判定手段により適合すると判定された場合は、前記行動パターンに応じて機器を設定する機器設定手段と、
を備えることを特徴とする電子機器。
［付記２］
前記状況判定手段は、現在位置と前記ライフログ情報に含まれる位置情報とを比較することによって前記行動パターンと適合するか否かを判定することを特徴とする付記１に記載の電子機器。
［付記３］
前記ライフログ情報は時刻情報を更に含み、
前記状況判定手段は、現在の時刻と前記ライフログ情報に含まれる時刻情報とを比較することによって前記行動パターンと適合するか否かを判定することを特徴とする付記１又は２に記載の電子機器。
［付記４］
前記状況判定手段によって、現在の状況が前記ライフログ情報における行動パターンと適合しないと判定された場合に、予め設定された所定期間、現在のユーザの行動から前記ライフログに関する情報を検出するライフログ情報検出手段を備え、
前記機器設定手段は、前記ライフログ情報検出手段によって検出された前記ライフログに関する情報に基づいて、機器を設定することを特徴とする付記１乃至３のいずれか１つに記載の電子機器。
［付記５］
前記状況判定手段は、現在の状況が前記ライフログにおける行動パターンと適合しないと判定した場合に、現在の状況と類似する前記ライフログにおける行動パターンが存在するか否かを判定し、
前記機器設定手段は、前記状況判定手段によって、現在の状況と類似する前記ライフログにおける行動パターンが存在すると判定された場合に、当該類似する前記ライフログにおける行動パターンに合わせて機器を設定することを特徴とする付記１乃至４のいずれか１つに記載の電子機器。
［付記６］
電子機器を制御するコンピュータに、
位置情報を含んだライフログ情報を取得するライフログ取得機能と、
現在の状況が前記ライフログ情報に基づく行動パターンと適合するか否かを判定する状況判定機能と、
前記状況判定機能により適合すると判定された場合は、前記行動パターンに応じて機器を設定する機器設定機能と、
を実現させることを特徴とするプログラム。
【符号の説明】
【００５３】
１・・・リスト端末，１１・・・制御部，１２・・・センサユニット，１２ａ・・・３軸加速度センサ，１２ｂ・・・磁気センサ，１２ｃ・・・気圧センサ，１２ｄ・・・気温センサ，１３・・・入力部，１４・・・ＬＣＤ，１５・・・時計回路，１６・・・ＲＯＭ，１７・・・ＲＡＭ，１８・・・ＧＰＳアンテナ，１９・・・ＧＰＳモジュール，２０・・・無線通信用アンテナ，２１・・・無線通信モジュール，２２・・・ドライブ，５１・・・ライフログ取得部，５２・・・状況判定部，５３・・・ライフログ情報検出部，５４・・・ライフログ蓄積部，５５・・・機器設定部，Ｓ・・・サーバ
【図１】
2015079375.tif 000003
【図２】
2015079375.tif 000004
【図３】
2015079375.tif 000005